(57)【要約】【課題】手軽に持ち運びができて何処でも必要とする部位を容易にマッサージができるマッサージ具を得る。【解決手段】筒体の被マッサージ体となる周壁に、三角形状の大三角突起１１及び中三角突起１２とを適数、配列し、この大三角突起１１及び中三角突起１２は、被マッサージ体側が大三角突起頂点１１ａ、中三角突起頂点１２ａにされて中三角突起１２は前記大三角突起１１を挟んで形成し、かつ中三角突起頂点１２ａは大三角突起頂点１１ａ以下の高さにする。【選択図】図１
2017099632.tif 000002
【特許請求の範囲】
【請求項１】
片手に収まる、端部に開口部を有する筒体のマッサージ具であって、
前記筒体の軸心に対して交差する端部側に設けられた開口部側を被マッサージ体側とし、この開口部の周壁の端面に適数、形成された突起を有し、
前記突起は、
前記被マッサージ体側に、頂点を向けて配列された第１の突起（１１）と、
前記第１の突起（１１）を挟んで設けられた第２の突起（１２）とを備え、
前記第２の突起（１２）の頂点の高さは、前記第１の突起（１１）の頂点以下でかつ前記第１の突起（１１）の中心以上の高さにされていることを特徴とするマッサージ具。
【請求項２】
前記周壁は、
最大の高さとなる部分を最大高壁部分とし、この最大高壁部分に略対向する部分を最小の高さにした最小高壁部分として形成され、
前記最大高壁部分と最小高壁部分の間の周壁の高さは、前記最大高壁部分から前記最小高壁部分に向かうに従って高さが次第に低くされおり、
前記突起は、
被マッサージ体側に、頂点を向けて配列された第１の突起（１１）と、
前記第１の突起（１１）を挟んで設けられた第２の突起（１２）とを備え、
前記第２の突起（１２）の頂点の高さは、前記第１の突起（１１）の頂点以下でかつ前記第１の突起（１１）の中心以上の高さにされ、
前記第１の突起（１１）は、
前記最大高壁部分となる端面に形成され、この第１の突起（１１）以後の第１の突起（１１）は、前記第２の突起（１２）を挟んで前の第１の突起（１１）以下の高さでかつ前の第２の突起（１２）以上の高さにされて形成され、
前記第２の突起（１２）は、
前記最小高壁部分となる端面に形成され、この第２の突起（１２）に対して前側となる第２の突起（１２）は、前記第１の突起（１１）を挟んで前の第２の突起（１２）以上の高さでかつ前の第１の突起（１１）以下の高さにされて形成されていることを特徴とする請求項１記載のマッサージ具。
【請求項３】
前記開口部は、
前記筒体の軸心に対して交差する一方の面となる側を一方の開口部とし、この一方の開口部に対して対向する他方の面となる側を他方の開口部とし、
前記第１の突起（１１）及び第２の突起（１２）は、
前記一方の開口部及び前記他方の開口部の周壁に形成されていることを特徴とする請求項１又は２記載のマッサージ具。
【請求項４】
前記筒体の外径は、４５．０〜６５．０ｍｍであることを特徴とする請求項１乃至３のいずれかに記載のマッサージ具。
【請求項５】
前記筒体は、
前記第１の突起（１１）及び第２の突起（１２）以下となる前記周壁の位置に、この周壁と一体化された仕切壁（１３）が設けられていることを特徴とする請求項１乃至４のいずれかに記載のマッサージ具。
【請求項６】
前記第１の突起（１１）、前記第２の突起（１２）は、三角形状であることを特徴とする請求項１乃至５のいずれかに記載のマッサージ具。
【請求項７】
前記筒体は、材質が竹材であることを特徴とする請求項１乃至６のいずれかに記載のマッサージ具。
【発明の詳細な説明】
【技術分野】
【０００１】
本発明は、マッサージ具に関し、手軽に持ち運びができて何処でも容易に必要とする部位を効果的にマッサージすることができるマッサージ具に関する。
【背景技術】
【０００２】
人間の身体は、全て脳からの神経伝達によって成り立っている。悪い姿勢、運動不足、間違った食事、ストレス等によって全て脳からの神経伝達が滞ってしまうと、身体が本来、持っている機能が不調となり、酵素リンパ液の流れが悪くなる。これを解消するために、首の第１頸椎と第２頸椎付近を硬い棒でマッサージする。
【０００３】
一方、首のマッサージ具として特許文献１の「こりほぐし器」が開示されている。この「こりほぐし器」は、枕状の底部３の首の付け根に相当する部位に首側突起４を設けて、仰向けに寝た状態でこの首側突起４が首の付け根に当たるようにしている。
【先行技術文献】
【特許文献】
【０００４】
【特許文献１】特開２００８−４３７０９号公報
【発明の概要】
【発明が解決しようとする課題】
【０００５】
しかしながら、特許文献１の「こりほぐし器」は枕状であるから形状が大きいので手軽に持ち運びすることができない。
【０００６】
また、人間の「こり」というのは、首の付け根だけではない、頭、肩、腕、足等に発生する。
【０００７】
ところが、特許文献１の「こりほぐし器」は、首の付け根を対象にするものであるから人間の様々な部位の「こり」に対しては対応できない。
【０００８】
本発明は以上の課題を解決するためになされたもので、手軽に持ち運びができて何処でも容易に必要とする部位を効果的にマッサージができるマッサージ具を得ることを目的とする。
【課題を解決するための手段】
【０００９】
本発明に係るマッサージ具は、片手に収まる、端部に開口部を有する筒体のマッサージ具であって、
前記筒体の軸心に対して交差する端部側に設けられた開口部側を被マッサージ体側とし、この開口部の周壁の端面に適数、形成された突起を有し、
前記突起は、
前記被マッサージ体側に、頂点を向けて配列された第１の突起（１１）と、
前記第１の突起（１１）を挟んで設けられた第２の突起（１２）とを備え、
前記第２の突起（１２）の頂点の高さは、前記第１の突起（１１）の頂点以下でかつ前記第１の突起（１１）の中心以上の高さにされていることを要旨とする。
【発明の効果】
【００１０】
以上のように本発明によれば、片手に収まる筒体のマッサージ具とし、このマッサージ具は、被マッサージ体となる周壁の端面に、第１の突起（１１）及び第２の突起（１２）とを設け、かつこの第２の突起（１２）は第１の突起（１１）を挟んで設けている。
【００１１】
このため、被マッサージ体の部位の丸みに対応して筒体の周壁の第１の突起（１１）及び第２の突起（１２）が当接することになる。
【００１２】
従って、被マッサージ体の部位を包み込むように押圧できるので、マッサージ効果が高い。
【００１３】
また、大きさは、片手に収まる筒体にしているので手軽に持ち運びができると共に、何処でも容易に必要とする部位を容易にマッサージができる。
【図面の簡単な説明】
【００１４】
【図１】実施の形態１のマッサージ具の斜視図である。
【図２】実施の形態１のマッサージ具の側面図である。
【図３】実施の形態１のマッサージ具の上面図である。
【図４】実施の形態１のマッサージ具の断面図である。
【図５】中三角突起１２の中三角突起頂点１２ａの高さの関係の説明図である。
【図６】実施の形態１のマッサージ具の使用例の説明図である。
【図７】実施の形態２のマッサージ具の側面図である。
【図８】第２マッサージ具２０の断面図である。
【図９】第２マッサージ具２０の上面図である。
【図１０】第２マッサージ具２０の使用例の説明図である。
【発明を実施するための形態】
【００１５】
以下に示す実施の形態は、発明の技術的思想を具体化するための装置や方法を例示するものであって、発明の技術的思想は、構造、配置は下記のものに特定するものではない。
【００１６】
発明の技術的思想は、特許請求の範囲に記載された技術的範囲内において、種々の変更を加えることができる。図面は模式的なものであり、装置やシステムの構成等は現実のものとは異なることに留意すべきである。
【００１７】
＜実施の形態１＞
図１は実施の形態１のマッサージ具の斜視図である。図２は実施の形態１のマッサージ具の側面図である。図３は実施の形態１のマッサージ具の上面図である。図４は実施の形態１のマッサージ具の断面図である。図５は図４のＤ部の拡大図である。但し、図２は図１のマッサージ具をＡ方向から見た場合の側面図であり、図４は図３のマッサージ具をａ−ａ方向から見たときの断面図である。
【００１８】
実施の形態１のマッサージ具（以下第１マッサージ具１０という）の材質は竹材（好ましくは孟宗竹）である。また、図１〜図４に示すように、第１マッサージ具１０は筒体である。
【００１９】
また、首の後、足、腕、肩、頭、足裏等（以下被マッサージ体という）の部位に向く方を被マッサージ体側と称する。
【００２０】
そして、図１から図４に示すように、この第１マッサージ具１０は、筒体の軸心に対して交差する端部側に設けられた開口部側を被マッサージ体側とし、この開口部の周壁の端面に適数、形成された高さが異なる突起を周設している。
【００２１】
これらの突起は、高さが高い第１の突起と、第１の突起よりも高さが低い第２の突起とからなる。これらの突起を実施の形態では山型形状（三角形状）として説明する。
【００２２】
この三角形状の突起は、図１に示すように、大きな略正三角形の突起（以下大三角突起１１という）と、この大三角突起１１に対して高さが低い正三角形の突起（以下中三角突起１２という）とからなり（図４参照）、大三角突起１１を挟んで中三角突起１２を交互に周壁の端面に配列している。
【００２３】
また、第１マッサージ具１０の高さというのは、第１マッサージ具１０の軸心（筒体の軸心）に対して平行な周壁の長さである。突起の高さというのは、三角形の底辺からの高さである。
【００２４】
また、第１マッサージ具１０は、孟宗竹の節の部分を切断して成形しているので内部には仕切壁１３を有している（図４参照）。つまり、筒体の周壁の内壁と仕切壁１３とは一体化している。
【００２５】
前述の大三角突起１１の頂点を大三角突起頂点１１ａと称し、中三角突起１２の頂点を中三角突起頂点１２ａと称する。大三角突起頂点１１ａ及び中三角突起頂点１２ａの挟角は、４０度〜８０度程度（６５度程度が好ましい）である。
【００２６】
また、図２に示すように第１マッサージ具１０は、外径ｄｉが５０．０ｍｍ程度（４５．０〜６５．０ｍｍ：好ましくは５０．０ｍｍ）で、高さｈｉが４８．０ｍｍ程度（４５．０〜５５．０ｍｍ：好ましくは４８．０ｍｍ）に形成されている。このサイズが片手で持ったときにすっきり収まる。従って、持ち運びが容易で、かつ手の力の加減で被マッサージ体の部位への刺激を調整できる。
【００２７】
また、内径ｄｐは図３に示すように、４２．０ｍｍ程度（４０．０〜４７．０ｍｍ：好ましくは４２．０ｍｍ）又は４６．０ｍｍが好ましい。つまり、厚みは３．０〜８．０ｍｍ程度が好ましい。
【００２８】
さらに、図２に示すように、大三角突起１１と中三角突起１２との高さの差ｈｊは３．０ｍｍ程度（２．０〜５．０ｍｍ：３．０ｍｍが好ましい）にされている。
【００２９】
また、図３に示すように、大三角突起頂点１１ａと中三角突起頂点１２ａとの間隔は好ましくは略一定間隔である。大三角突起１１又は中三角突起１２は、０時と６時と、３時と９時の方向に印を付けて形成し、これらの間に中三角突起１２又は大三角突起１１を形成するのが好ましい。
【００３０】
前述の中三角突起１２の中三角突起頂点１２ａの高さについて図５を用いて説明する。図５に示すように、中三角突起頂点１２ａは、例えば大三角突起１１の中心１１ｃａと、大三角突起頂点１１ａとの間となる高さに位置している。
【００３１】
この位置は、外径ｄｉが５０．０ｍｍ程度（４５．０〜６５．０ｍｍ：好ましくは５０．０ｍｍ）で、第１マッサージ具１０の周壁の被マッサージ体側の面に高さ８．０ｍｍ程度（７．０〜９．０ｍｍ：好ましくは８．０ｍｍ）の大三角突起頂点１１ａの大三角突起１１を成形したとして説明する。
【００３２】
具体的には、中三角突起頂点１２ａは、大三角突起１１の大三角突起頂点１１ａから直線距離で１４．０ｍｍ程度（１３．０〜１５．０ｍｍ：好ましくは１４．０ｍｍ）で、かつ大三角突起１１の底辺から５．０ｍｍ程度（４．０〜６．０ｍｍ：好ましくは、５．０ｍｍ）の位置になるように成形されている。つまり、中三角突起１２の中三角突起頂点１２ａの高さは、大三角突起１１の頂点以下でかつ大三角突起１１の中心以上の高さにされている。
【００３３】
すなわち、第１の突起（１１）は、最大高壁部分となる端面に形成され、この第１の突起（１１）以後の第１の突起（１１）は、第２の突起（１２）を挟んで前の第１の突起（１１）以下の高さでかつ前の第２の突起（１２）以上の高さにされて形成されている。さらに、第２の突起（１２）は、最小高壁部分となる端面に形成され、この第２の突起（１２）に対して前側となる第２の突起（１２）は、第１の突起（１１）を挟んで前の第２の突起（１２）以上の高さでかつ前の第１の突起（１１）以下の高さにされて形成されている。
【００３４】
前述の大三角突起頂点１１ａと中三角突起頂点１２ａとの高さに差がある理由は、首の断面というのは図６に示すようには略円形であり、また筋肉、骨によっても凹凸があり、その幅も相違する。
【００３５】
このため、大三角突起頂点１１ａと中三角突起頂点１２ａとに差があることによって、この首の部位の凹凸及び幅に合わせて大三角突起頂点１１ａと中三角突起頂点１２ａとが当たることになる。すなわち、首の部位を包み込むように、大三角突起頂点１１ａと中三角突起頂点１２ａとが当たるので痛みが少なくかつ頸椎のマッサージ効果が高い。
【００３６】
その結果、首の筋肉等に働きかけるので血流の流れが良くなり、酸素、リンパ液がスムーズに流れることになる。
【００３７】
また、第１マッサージ具１０は仕切壁１３を有しているので、この仕切壁１３を指で押しながら力を加えることができる。
なお、この第１マッサージ具１０は、仰向けになって首の下に配置し、必要に応じてタオル等で覆って用いるのが好ましい。
【００３８】
＜実施の形態２＞
図７は実施の形態２のマッサージ具（以下第２マッサージ具２０という）の側面図である。図８は第２マッサージ具２０の開口部側を上面としたときの上面図である。図９は第２マッサージ具２０の断面図である。但し、図９は図８の第２マッサージ具２０をｂ−ｂ方向から見たときの断面図である。
【００３９】
実施の形態２の第２マッサージ具２０は、図７及び図９に示すように、筒体の被マッサージ体側となる面の周壁は、右側が最小の高さにされ、左側が最大の高さにされている。
【００４０】
この最大の高さとなる周壁の部分を最大高壁部分と称し、最小の高となる周壁の部分を最小高壁部分と称する。最大高壁部分と最小高壁部分とは略対向している。
【００４１】
すなわち、図８に示すように、最大高壁部分と最小高壁部分の間の周壁に各頂点の高さは、最大高壁部分から最小高壁部分に向かうに従って高さが次第に低くされている。
【００４２】
これらの大三角突起１１、中三角突起１２の高さｈｉについて図９を用いて説明する。図９は、仕切壁１３を水平軸に対して垂直にして説明する。また、図９においては上面側を一方の面とし、この一方の面側を代表にして説明する。さらに、高さｈｉは、一方の面と他方の面との突起頂点同士が対向する長さである。
【００４３】
図９に示すように、最大高壁部分の高さｈｉは、一方の面の大三角突起１１の大三角突起頂点１１ａと他方の面の大三角突起１１の大三角突起頂点１１ａとの長さであり、例えば４８．０ｍｍとして以後の突起の高さｈｉについて説明する。
【００４４】
図９に示すように、最大高壁部分における大三角突起１１の大三角突起頂点１１ａに対して、次となる中三角突起１２の中三角突起頂点１２ａの高さｈｉは、この大三角突起頂点１１ａよりも３．０ｍｍ程度（２．０〜５．０ｍｍ：３．０ｍｍが好ましい）、低くしている。つまり、４５．０ｍｍ程度（４４．０〜４６．０ｍｍ：４５．０ｍｍが好ましい）の高さｈｉにしている。
【００４５】
そして、この、４５．０ｍｍ程度の中三角突起１２に対して、次となる大三角突起１１の大三角突起頂点１１ａの高さｈｉは、最大高壁部分の大三角突起頂点１１ａに対して、２．０ｍｍ程度（１．０〜３．０ｍｍ：２．０ｍｍが好ましい）低くしている。
【００４６】
つまり、水平軸から４６．０ｍｍ程度（４５．０〜４７．０ｍｍ：４６．０ｍｍが好ましい）の高さｈｉにしている。
【００４７】
また、４６．０ｍｍ程度の大三角突起１１に対して次となる中三角突起１２の中三角突起頂点１２ａは、この４６．０ｍｍ程度の大三角突起頂点１１ａよりも３．０ｍｍ程度（２．０〜５．０ｍｍ：３．０ｍｍが好ましい）、低くしている。つまり、４３．０ｍｍ程度（４２．０〜４４．０ｍｍ：４３．０ｍｍが好ましい）の高さｈｉにしている。
【００４８】
さらに、４３．０ｍｍ程度の中三角突起１２の中三角突起頂点１２ａに対して次となる大三角突起１１の大三角突起頂点１１ａは、最大高壁部分の大三角突起頂点１１ａに対して４．０ｍｍ程度低くしている。
【００４９】
つまり、４４．０ｍｍ程度（４３．０〜４５．０ｍｍ：４４．０ｍｍが好ましい）の高さｈｉにしている。
【００５０】
そして、この４４．０ｍｍ程度の大三角突起１１の大三角突起頂点１１ａに対して次となる最小高壁部分の中三角突起１２の中三角突起頂点１２ａは、この４４．０ｍｍ程度の大三角突起１１の大三角突起頂点１１ａよりも３．０ｍｍ程度低くしている。つまり、最小高壁部分の中三角突起１２の中三角突起頂点１２ａの高さｈｉは４１．０ｍｍ程度（４０．０〜４２．０ｍｍ：好ましくは４１．０ｍｍ）にしている。
【００５１】
すなわち、この第２マッサージ具２０は、大三角突起１１と中三角突起１２とを有する面が傾斜させられているので図１０に示すように例えば頭の後方に、大三角突起１１と中三角突起１２とを有する面を当てると、頭の傾斜に合わせてその面全体が当たることになる。
【００５２】
従って、第２マッサージ具２０を片手で握って例えば頭の後方に、大三角突起１１と中三角突起１２とを有する面を当てながら押すと、略均等に力が加わる。
【００５３】
なお、上記実施の形態では、材質を孟宗竹として説明したが、プラスチック、木材、金属であっても構わない。また、高さｈｉをさらに高くして棒状にしても構わない。
【００５４】
また、大三角突起１１と中三角突起１２とを交互に配列するとして説明したが、中三角突起１２を２個連続配列した後に大三角突起１１を１個配列しても構わない。
【００５５】
また、実施の形態１では大三角突起１１と中三角突起１２とは正三角形として説明したが、直角三角形、二等辺三角形であっても構わないし、いずれかを組み合わせたものにしてもよい。
【００５６】
さらに、高さｈｉは、仕切壁１３の表面を基準とし、この表面からの高さであっても構わない。
【００５７】
また、突起は三角形状として説明したが部位によっては、半円、円であっても構わないし、一方が三角形状で他方が半円の突起であっても構わない。
【００５８】
また、大三角突起頂点１１ａに大三角突起頂点１１ａを対向させ、中三角突起頂点１２ａに中三角突起頂点１２ａを対向させたが、大三角突起頂点１１ａと中三角突起頂点１２ａとを対向させて形成しても構わない。
【００５９】
また、大三角突起１１と中三角突起１２との間の凹部に磁性体を埋め込んでもよい。この場合は、磁性体の高さは大三角突起頂点１１ａ及び中三角突起頂点１２ａから２．０ｍｍ程度（１．５〜４．０ｍｍ：好ましくは２．０ｍｍ）の高さにするのが好ましい。
また、実施の形態では一方の面と他方の面とが傾斜しているとして説明したがいずれか一方の面を傾斜させて他方の面を実施の形態１と同様に各頂点をフラットにしても構わない。
【００６０】
さらに、仕切壁１３は中央として説明したが、仕切壁１３は中央でなくとも任意の位置に設けても構わない。
【００６１】
また、マサージ具（第１、第２）の周壁の中央付近の周囲に、大三角突起１１と中三角突起１２若しくはいずれかを周設してもよい。
さらに、大三角突起１１と中三角突起１２との間の凹部には、磁性体（磁石、蹉跌磁石等）を埋め込んでもよい。
【００６２】
この磁性体は、大三角突起頂点１１ａ及び中三角突起頂点１２ａから２．０ｍｍ程度（１．５〜４．０ｍｍ：好ましくは２．０ｍｍ）の位置までとする。そして、各突起の傾斜面への接続は接着材を用いる。これによって、各頂点により部位を押圧できると共に、磁性体の磁力によって血行等を良くすることができる。
【符号の説明】
【００６３】
１０  第１マッサージ具
１１  大三角突起
１２  中三角突起
１１ａ  大三角突起頂点
１２ａ  中三角突起頂点
１３  仕切壁
２０  第２マッサージ具
【図１】
2017099632.tif 000003
【図２】
2017099632.tif 000004
【図３】
2017099632.tif 000005
【図４】
2017099632.tif 000006
【図５】
2017099632.tif 000007
【図６】
2017099632.tif 000008
【図７】
2017099632.tif 000009
【図８】
2017099632.tif 000010
【図９】
2017099632.tif 000011
【図１０】
2017099632.tif 000012